(57)【要約】【課題】書留や小包などの配達物から少なくとも差出人の住所や氏名を読み込み、それをロール紙に印刷して受領書を発行する場合にロール紙を有効に使用する。【解決手段】書留や小包から差出人の住所、氏名を読み込む画像読取部２１と、画像読取部が読み込んだ差出人の住所、氏名を記憶する一時記憶部１３ｂと、ロール紙に印刷するプリンタ１９と、ロール紙の幅サイズを記憶したサイズ記憶部１３ａと、差出人の住所、氏名の印刷領域における長手方向のサイズとロール紙の幅サイズを比較し、長手方向のサイズがロール紙の幅サイズ以下であれば差出人の住所、氏名をそのまま９０°回転し、また、長手方向のサイズがロール紙の幅サイズよりも大きければ差出人の住所、氏名をロール紙の幅サイズ以下に縮小するとともに９０°回転し、この９０°回転した差出人の住所、氏名を使用して受領書発行のための印刷データを作成する印刷データ作成手段を備え、プリンタは印刷データ作成手段が作成した印刷データをロール紙に印刷して受領書を発行する。【選択図】　　図１
2004110730.tif 000002
【特許請求の範囲】
【請求項１】
画像領域を読み込んだイメージの縦横比を検出し、横長の場合は回転せずに印刷し、縦長の場合には９０°回転し、この９０°回転したイメージを受領書発行のための印刷データとしたことを特徴とする受領書発行装置。
【請求項２】
書留や小包などの受領書発行を必要とする宅配物から少なくとも差出人の住所、氏名を読み込む画像読取器と、ロール紙を印刷用紙としたプリンタと、前記ロール紙の幅サイズを記憶したサイズ記憶部と、前記画像読取器が読み込んだ内容を一時記憶する一時記憶部と、この一時記憶部に記憶した内容の印刷領域における長手方向のサイズと前記サイズ記憶部に記憶したロール紙の幅サイズを比較し、長手方向のサイズがロール紙の幅サイズ以下であれば読み込んだ内容をそのまま９０°回転し、また、長手方向のサイズがロール紙の幅サイズよりも大きければ読み込んだ内容をロール紙の幅サイズ以下に縮小するとともに９０°回転し、この９０°回転した内容を使用して受領書発行のための印刷データを作成する印刷データ作成手段とを備え、前記プリンタは前記印刷データ作成手段が作成した印刷データを前記ロール紙に印刷して受領書を発行することを特徴とする受領書発行装置。
【発明の詳細な説明】
【０００１】
【発明の属する技術分野】
本発明は、書留や小包などの受領書発行を必要とする宅配物の配達を引受け、差出人から料金の支払いを受けたときに差出人に手渡す受領書を発行する受領書発行装置に関する。
【０００２】
【従来の技術】
例えば、郵便局では書留の配達を引受けると、差出人から料金の支払いを受けたときに受領書を手渡すようにしている。このときの受領書は、差出人が自ら住所と氏名を書き込んだ用紙を窓口に出して受領印を押してもらうという方式を取っていた。
【０００３】
しかし、この方式では差出人が自ら住所と氏名を書き込むという手間が必要になり、煩わしいという問題があった。
【０００４】
このため、例えば、通常のレシートを印刷するロール紙に書留から差出人の住所や氏名を読み込んで印刷し受領書として発行することが考えられる。なお、通常のレシートを印刷するロール紙に領収書イメージを印刷して正式に領収書を発行するものは知られている（例えば、特許文献１参照）。
【０００５】
【特許文献１】
特開平９−２３１４６９号公報（段落「００１８」、図２（Ｂ））
【０００６】
【発明が解決しようとする課題】
しかし、書留に記載されている差出人の住所や氏名は縦書きがほとんどであり、これを例えば、画像読取器で読み込んでロール紙に印刷すると、図５に示すように印刷される。なお、受領書としては、この印刷されたものを切り取り、これに受領印を押して差出人に手渡すことになる。
【０００７】
このように、画像読取器で読み込んだ住所や氏名をそのままロール紙に印刷したのでは、１回の受領書発行に使用されるロール紙の長さが長くなり、ロール紙を有効に使用できないという問題があった。
【０００８】
そこで、本発明は、書留や小包などの受領書発行を必要とする宅配物から少なくとも差出人の住所や氏名を読み込み、それをロール紙に印刷して受領書を発行する場合にロール紙を有効に使用することができる受領書発行装置を提供する。
【０００９】
【課題を解決するための手段】
本発明は、画像領域を読み込んだイメージの縦横比を検出し、横長の場合は回転せずに印刷し、縦長の場合には９０°回転し、この９０°回転したイメージを受領書発行のための印刷データとしたことにある。
また、本発明は、書留や小包などの受領書発行を必要とする宅配物から画像読取器により少なくとも差出人の住所、氏名を読み込み、一時記憶部に一時記憶する。また、ロール紙を印刷用紙としたプリンタを使用し、このロール紙の幅サイズをサイズ記憶部に記憶しておく。印刷データ作成手段により、一時記憶部に記憶した内容の印刷領域における長手方向のサイズとサイズ記憶部に記憶したロール紙の幅サイズを比較し、長手方向のサイズがロール紙の幅サイズ以下であれば読み込んだ内容をそのまま９０°回転し、また、長手方向のサイズがロール紙の幅サイズよりも大きければ読み込んだ内容をロール紙の幅サイズ以下に縮小するとともに９０°回転し、この９０°回転した内容を使用して受領書発行のための印刷データを作成する。そして、プリンタは印刷データ作成手段が作成した印刷データをロール紙に印刷して受領書を発行する。
【００１０】
【発明の実施の形態】
以下、本発明の実施の形態を、図面を参照して説明する。
図１は受領書発行装置の構成を示すブロック図で、１１は制御部本体を構成するＣＰＵ、１２はこのＣＰＵ１１が各部を制御するためのプログラムデータを格納したＲＯＭなどのプログラムメモリ、１３は前記ＣＰＵ１１がデータ処理を行うときに使用するメモリ等を設けたＲＡＭなどのデータメモリである。なお、前記データメモリ１３は、後述するロール紙の幅サイズを記憶したサイズ記憶部１３ａや後述する画像読取部が読み込んだ差出人の住所、氏名を一時記憶する一時記憶部１３ｂを設けている。
【００１１】
１４はキーボード１５を制御しこのキーボード１５からキー信号の取り込みを行うキーボードコントローラ、１６はディスプレイ１７を制御しこのディスプレイ１７に各種情報の表示を行わせるディスプレイコントローラ、１８はプリンタ１９を制御しこのプリンタ１９にロール紙を使用して印刷を行わせるプリンタコントローラ、２０は画像読取部２１を制御しこの画像読取部２１が読み込んだ文字イメージを取り込む。
【００１２】
前記ＣＰＵ１１と、前記プログラムメモリ１２、データメモリ１３、各コントローラ１４，１６，１８，２０とはバスライン２２を介して電気的に接続されている。
【００１３】
前記画像読取部２１は、受領書発行を必要とする宅配物、例えば、図２の（ａ）に示す書留３１や図２の（ｂ）に示す小包３２から差出人の住所、氏名を光学的に読み込む。
【００１４】
前記ＣＰＵ１１は、前記画像読取部２１が書留３１から差出人の住所、氏名を読み込む、あるいは、小包３２から差出人の住所、氏名を読み込んだときには図３に示す流れ図に従った処理を行うようになっている。
【００１５】
すなわち、ＳＴ１にて、画像読取部２１が差出人の住所、氏名を読み込むと、ＳＴ２にて、読み取った内容が縦書きになっているか横書きになっているかをチェックする。縦書きになっていれば、ＳＴ３にて、左へ９０°回転する。また、横書きになっている場合はそのままとなる。
【００１６】
続いて、ＳＴ４にて、差出人の住所、氏名の印刷領域における横の寸法、すなわち、長手方向の寸法と前記サイズ記憶部１３ａに記憶されているロール紙の幅サイズを比較する。すなわち、縦書きの場合は左へ９０°回転しているので、長手方向の寸法は回転する前の縦サイズになる。差出人の住所、氏名の印刷領域における長手方向の寸法がロール紙の幅サイズよりも大きければ、ＳＴ５にて長手方向の寸法がロール紙の幅サイズ以下になるように差出人の住所、氏名の印刷領域を縮小してから、ＳＴ６にて印刷する。また、差出人の住所、氏名の印刷領域における長手方向の寸法がロール紙の幅サイズ以下であればそのままＳＴ６にて印刷する。
【００１７】
上記した図３の処理のうち、ＳＴ２からＳＴ６の処理は印刷データ作成手段の処理を示している。
【００１８】
このような構成においては、例えば、差出人から書留３１の依頼を受け取り、料金の支払いを受けると、窓口では画像読取部２１によって書留３１から差出人の住所、氏名を読み込む。読み込んだイメージデータはデータメモリ１３の一時記憶部１３ｂに一時記憶する。そして、差出人の住所、氏名が縦書きであれば、読み込んだイメージデータを左へ９０°回転する。
【００１９】
この状態で、差出人の住所、氏名を印刷する領域の長手方向の寸法とデータメモリ１３のサイズ記憶部１３ａに記憶してあるロール紙の幅サイズとを比較する。そして、差出人の住所、氏名を印刷する領域の長手方向の寸法がロール紙の幅サイズよりも大きければロール紙の幅サイズ以下となるように差出人の住所、氏名を印刷する領域を縮小する。また、差出人の住所、氏名を印刷する領域の長手方向の寸法がロール紙の幅サイズ以下であればそのまま使用する。
【００２０】
そして、差出人の住所、氏名に、さらに、受領書、差出人の文字を加えて図４に示すようにロール紙３３に印刷する。この印刷した部分をロール紙３３から切り離して受領印を押し、差出人に受領書として手渡すことになる。これにより、差出人としても自分の住所か氏名を用紙に書き込む面倒はなくなる。
【００２１】
このように、ロール紙３３に対し、差出人の住所、氏名をその幅方向に縦に印刷することで、１回の受領書発行に使用するロール紙の長さが短くなり、これにより、ロール紙を有効に使用することができる。
【００２２】
なお、小包などに差出人の住所、氏名が横書きしてあったときには、画像読取部２１で読み込んだイメージデータを回転せずに、長手方向の寸法がロール紙の幅サイズよりも大きいときには縮小のみを行ってロール紙に印刷する。
なお、この実施の形態では画像読取部２１によって差出人の住所、氏名を読み込むようにしたが、さらに、宛先人の住所、氏名も合わせて読み込むようにしてもよい。
【００２３】
【発明の効果】
以上詳述したように本発明によれば、書留や小包などの配達物から少なくとも差出人の住所や氏名を読み込み、それをロール紙に印刷して受領書を発行する場合にロール紙を有効に使用することができる。
【図面の簡単な説明】
【図１】本発明の実施の形態を示すブロック図。
【図２】同実施の形態で読み込み対象となる書留及び小包の表面を示す図。
【図３】同実施の形態におけるＣＰＵによる要部処理を示す流れ図。
【図４】同実施の形態によるロール紙への印刷結果を示す図。
【図５】ロール紙への印刷による課題を説明するための図。
【符号の説明】
１１…ＣＰＵ
１３ａ…サイズ記憶部
１３ｂ…一時記憶部
１９…プリンタ
２１…画像読取部（画像読取器）
【図１】
2004110730.tif 000003
【図２】
2004110730.tif 000004
【図３】
2004110730.tif 000005
【図４】
2004110730.tif 000006
【図５】
2004110730.tif 000007